(57)【要約】【課題】押圧するだけではディスクが外れない係止構造とし、ディスクの係止状態を確実に保持すると共に、取り出す必要があるときは容易に取り外すことができ、しかも簡単な構造であって低コストで製造し得るディスク固定装置を提供する。【解決手段】環状リブ２の内部に形成された中心穴３の周縁に間隔をあけて起立してなる複数の弾性係止片５、５…が環状リブ２の近傍に至る切込み４、４…で離間されたことによって夫々の弾性係止片が環状リブの近傍に至る弾性支持片８、８…を有することにより、夫々の弾性係止片が環状リブの近傍から独立的に弾性変形可能に形成され、夫々の弾性係止片の上端が中央に向けて折曲された折曲部９を有すると共に、夫々の折曲部の中心側先端が互いに所定間隔の隙間２０をあけて接近する一方、夫々の弾性係止片の外側の途中にツメ７、７…が突設されてなる構造とした。【選択図】図４ 
2005271925.tif 000002
【特許請求の範囲】
【請求項１】
ディスクの収納ケースの内側面上に所定の高さを有する環状リブが設けられ、該環状リブの内部に形成された中心穴の周縁に間隔をあけて面上に起立してなる複数の弾性係止片が前記環状リブの近傍に至る切込みで離間されたことによって夫々の弾性係止片が前記環状リブの近傍に至る弾性支持片を有することにより、夫々の弾性係止片が前記環状リブの近傍から独立的に弾性変形可能に形成され、これらの弾性係止片が全体としてディスクの中心孔に挿着される円形状の保持部を形成し、夫々の弾性係止片の上端が中央に向けて折曲された折曲部を有すると共に、夫々の折曲部の中心側先端が互いに所定間隔の隙間をあけて接近する一方、夫々の弾性係止片の外側の途中にツメが突設されてなり、ディスクの中心孔を前記保持部の外周に押しこむ際に、ディスクの中心孔の内周縁が夫々の弾性係止片を変形しながら夫々のツメを乗り越して係止状態となり、且つ前記保持部の中心を押圧した際に夫々の折曲部の中心側先端同士が互いに当接することによって夫々の弾性係止片の変形を規制することにより、前記夫々のツメに係止されたディスクが外れないようにしたことを特徴とするディスク固定装置。
【請求項２】
前記弾性係止片は３個から構成されると共に、夫々の弾性係止片の折曲部の中心側先端が中心角を略三等分する角で形成された斜辺を有することを特徴とする請求項１記載のディスク固定装置。
【請求項３】
前記収納ケースの内側面上であって前記保持部から所定距離だけ離間した周部に前記保持部に挿着したディスクの外周を支持する環状リムが形成されると共に、該環状リムの少なくとも１箇所に前記ディスクの外周下部に指先を当てる部位として空所を有することを特徴とする請求項１又は２記載のディスク固定装置。
【発明の詳細な説明】
【技術分野】
【０００１】
本発明は、ＣＤ又はＤＶＤ等のディスクに形成された中心孔を収納ケース内に固定するためのディスク固定装置に関する。
【背景技術】
【０００２】
ＣＤ又はＤＶＤ等のディスクを保管する場合、一般的には、購入時の収納ケースに入れた状態で保管する。この収納ケースは、図９に示すように、不図示のプラスティックケースの内側に収納するトレー３１の中央にボス３２が形成されてなるものである。円形のボス３２はトレー３１の中央面上から多数のツメ３３、３３…が互いに隙間を有して突出され、それぞれのツメ３３は上端が中央方向に折曲されると共に、中央部が空隙３４を有することによって、それぞれのツメ３３、３３…が弾性変形可能とされている。
【０００３】
このようなボス３２の外径はディスクの中心孔よりもわずかに大径を有する。従って、ボス３２にディスクの中心孔を押し下げると、ボス３２の夫々のツメ３３、３３…が内方に僅かに屈曲してディスクの中心孔を係止した状態にする。
【０００４】
しかしながら、このような係止状態では、収納ケースに外圧がかかって変形した場合、ディスクの中心孔がボス３２の外周から容易に外れるという問題があった。
【０００５】
この問題を解消するために、例えば、特許文献１に掲げる装置が提案されている。この装置は、図１０（ａ）に示すように、ＣＤの中央に形成されたホールＣを保持するためのホールホルダに関するものである。
【０００６】
その構成は、プラスティック製のプレート３５の上面中央に円形の上板３６が形成され、この上板３６の中央には円形の中央突部３７が形成されると共に、その周囲には複数の周辺突部３８が形成され、各周辺突部３８の外周上端は肉厚部４０が形成されてなるものである。
【０００７】
なお、上板３６と中央突部３７及び複数の周辺突部３８の形成部との間にはウレタン材によるスプリング３９が充填され、中央突部３７及び複数の周辺突部３８の弾性を確保するようにしている。
【０００８】
このような構成のホールホルダにＣＤのホールＣを挿着するには、図１０（ａ）に示すように、ＣＤのホールＣを周辺突部３８の外周に嵌め込んで押し下げると、ＣＤのホールＣが各厚肉部４０に係止された状態となる。
【０００９】
また、このように嵌め込まれたＣＤを取り出すには、図１０（ｂ）に示すように、中央突部３７を指先で押し下げると、上板３６が下方に撓んで中央突部３７及び複数の周辺突部３８、３８…の外周が中央方向へ縮小するように変形し、その結果、ＣＤのホールＣが周辺突部３８、３８…の全周から外れた状態となる。
【特許文献１】特開平２−２０５５８９号公報（第１、２頁、図３、４）
【発明の開示】
【発明が解決しようとする課題】
【００１０】
上記の構成においては、いずれもＣＤのホール（中心孔）をボス又は複数の周辺突部の外周に嵌め込んで係止状態にするものであり、いずれの構成においても、ボス又は周辺突部による係止構造は撓み性を有し、その係止構造を指先で押し下げることによって、ディスクを取り外すようにしている。
【００１１】
ところが、このように撓み性を有することによってディスクを取り外す構造においては、盗難防止上の問題がある。即ち、販売店等においては、ディスクケースの内部にディスクを上記のように係止した状態で収納し、そのディスクケースの外方を透明ビニル等で包装した状態に展示している。このような収納状態に対して、新手の盗難としては、ディスクケースの蓋面の外側からほぼ中央を押すことにより、蓋を介して内部の係止構造を押圧することによりディスクを外した状態にしておき、ディスクケースの蓋の隙間にカッターを当てて透明ビニルの口を開き、その隙間から内部で外れたディスクを抜き出すというものである。
【００１２】
このように、ディスクの係止構造を押圧することによってディスクが離脱するタイプのものは、上記の手段によって盗難の対象にされてしまうおそれがあるため、これに対処するには、押圧することでディスクが外れない構造とする必要がある。
【００１３】
また、上記の従来構造において、図９に示すものは、ケース本体とトレーとの組み合わせからなり、図１０（ａ）及び（ｂ）に示すものは、ケース本体と上板と中央突部及び複数の周辺突部の形成部材とウレタン材によるスプリングとが別体であって、それぞれの部材を成形する工程と、接合する工程とを有し、製作の手間及びコスト高になるという問題があった。
【００１４】
本発明はこのような問題点を解消するために成されたもので、保持部を押圧するだけではディスクが外れない係止構造とし、しかもディスクの係止状態を確実に保持すると共に、取り出す必要があるときは容易に取り外すことができ、しかも簡単な構造であって低コストで製造し得るディスク固定装置を提供することを目的とする。
【課題を解決するための手段】
【００１５】
上記の目的を達成するために、本発明の請求項１は、ディスクの収納ケースの内側面上に所定の高さを有する環状リブが設けられ、該環状リブの内部に形成された中心穴の周縁に間隔をあけて面上に起立してなる複数の弾性係止片が前記環状リブの近傍に至る切込みで離間されたことによって夫々の弾性係止片が前記環状リブの近傍に至る弾性支持片を有することにより、夫々の弾性係止片が前記環状リブの近傍から独立的に弾性変形可能に形成され、これらの弾性係止片が全体としてディスクの中心孔に挿着される円形状の保持部を形成し、夫々の弾性係止片の上端が中央に向けて折曲された折曲部を有すると共に、夫々の折曲部の中心側先端が互いに所定間隔の隙間をあけて接近する一方、夫々の弾性係止片の外側の途中にツメが突設されてなり、ディスクの中心孔を前記保持部の外周に押しこむ際に、ディスクの中心孔の内周縁が夫々の弾性係止片を変形しながら夫々のツメを乗り越して係止状態となり、且つ前記保持部の中心を押圧した際に夫々の折曲部の中心側先端同士が互いに当接することによって夫々の弾性係止片の変形を規制することにより、前記夫々のツメに係止されたディスクが外れないようにしたことを特徴とする。
【００１６】
また、本発明の請求項２は、請求項１において、前記弾性係止片は３個から構成されると共に、夫々の弾性係止片の折曲部の中心側先端が中心角を略三等分する角で形成された斜辺を有することを特徴とする。
【００１７】
さらに、本発明の請求項３は、請求項１又は２において、前記収納ケースの内側面上であって前記保持部から所定距離だけ離間した周部に前記保持部に挿着したディスクの外周を支持する環状リムが形成されると共に、該環状リムの少なくとも１箇所に前記ディスクの外周下部に指先を当てる部位として空所を有することを特徴とする。
【発明の効果】
【００１８】
以上のように構成された発明により、夫々の弾性係止片は、環状リブの近傍に至る切込みで離間されたことによって夫々の弾性係止片が環状リブの近傍に至る弾性支持片を有することにより、夫々の弾性係止片が環状リブの近傍から独立的に弾性変形可能に形成されているため、夫々の弾性係止片の撓み性が向上し、各弾性係止片が変形する際の折損を防止する構造とすることができる。
【００１９】
また、保持部の外周にディスクの中心孔を挿着する際、ディスクの中心孔の内周縁が夫々の弾性係止片を変形しながら夫々のツメを乗り越して係止状態とされるため、挿着されたディスクは夫々のツメで係止されて、離脱し難いものとなる。
【００２０】
さらに、夫々の弾性係止片の折曲部における中心側先端が互いに所定間隔の隙間をあけて接近する構成とされているため、保持部の中心を指先で押圧した際に、夫々の折曲部の中心側先端同士が互いに当接することによって夫々の弾性係止片の変形を規制することにより、夫々のツメに係止されたディスクが外れない構造とすることができる。
【００２１】
さらにまた、上記のように、夫々の弾性係止片の変形を規制することによって、夫々の弾性係止片が必要以上に変形しない構造として、各弾性係止片の折損を防止することが可能となる。
【発明を実施するための最良の形態】
【００２２】
以下、本発明の実施例について図面を参照しながら説明する。
【００２３】
本実施例におけるＣＤ又はＤＶＤ等のディスクＤの収納ケース１０は、図１に示すように、矩形を成す底板１１と蓋板１２とが長辺側の一辺に背板枠１３を有して開閉自在に形成されると共に、底板１１と蓋板１２の夫々の三辺に外周枠１４が形成され、底板１１と蓋板１２とを閉じることによって、開閉可能な矩形の薄型箱形状を成す収納ケース１０が構成されている。
【００２４】
なお、蓋板１２の内側端部には２個の挟持片１５、１５が形成され、これらの挟持片１５、１５に説明書等を挟み込むことができる。
【００２５】
上記のように構成された収納ケース１０の底板１１側の内側面上には、図4に示すように、所定の高さを有する環状リブ２が形成されている。この環状リブ２は、例えば、２〜３mmの高さを有する環状の突起形状であって、直径約２５ｍｍを有するものであり、後述する保持部の外周にディスクＤの中心孔Ｃを挿着したとき、ディスクＤの片面が底板１１の面から離間した状態で支持するようにしている（図７（ｃ）参照）。
【００２６】
また、図４に示すように、環状リブ２の内部の中心には中心穴３が形成され、該中心穴３の周縁に間隔をあけて面上に起立してなる複数の弾性係止片５、５…が形成され、これらの複数の弾性係止片５、５…により全体として円形状の保持部６が形成されることにより、図３に示すように、保持部６の外周にディスクＤの中心孔Ｃを挿着することができる。
【００２７】
また、図２に示すように、夫々の弾性係止片５、５…は、その周部が、環状リブ２の近傍に至る切込み４で離間され、夫々の弾性係止片５、５…は環状リブ２の近傍に至る弾性支持片８を有することにより、夫々の弾性係止片５、５…が環状リブ２の近傍から独立的に弾性変形することが可能である。
【００２８】
即ち、各弾性係止片５が変形する際は、夫々の弾性支持片８と一体的に撓むこととなって、夫々の弾性係止片５、５…の撓み性が向上するため、各弾性係止片５は、その起立部位からではなく、弾性支持片８と共に環状リブ２の近傍から撓むこととなり、各弾性係止片５、５…の変形の柔軟性を向上することができ、各弾性係止片５を折損し難い構造とすることが可能となる。
【００２９】
さらに、図４に示すように、夫々の弾性係止片５、５…の上端が中央に向けて折曲された折曲部９を有すると共に、夫々の折曲部９、９…の中心側先端が互いに所定間隔Ｇの隙間２０をあけて接近する構成とされている。
【００３０】
本実施例において、弾性係止片５、５…は３個から構成され、夫々の弾性係止片５、５…の折曲部９、９…の中心側先端が中心角を略三等分する角で形成された斜辺９ａ、９ａを有する構成とされている。
【００３１】
また、図２又は図４に示すように、夫々の弾性係止片５、５…の外側の途中にツメ７、７…が突設され、ディスクＤの中心孔Ｃを保持部６の外周に押しこむ際に、ディスクＤの中心孔Ｃの内周縁が夫々の弾性係止片５、５…を変形しながら夫々のツメ７、７…を乗り越して係止状態にされる。
【００３２】
このような構成において、夫々の弾性係止片５、５…の折曲部９、９…における中心側先端が互いに所定間隔Ｇ（図４参照）の隙間２０をあけて接近する構成とされているのは、次の理由による。即ち、図５（この図は、保持部６の通常の状態を逆にした状態で図示してある）に示すように、保持部６の中心を指先等で押圧した際に、夫々の折曲部９、９…の中心側先端同士が互いに当接することによって夫々の弾性係止片５、５…の変形を規制することによって、夫々のツメ７、７…に係止されたディスクＤが外れないようにするためである。そのための所定間隔Ｇ（図４参照）としては、約１mm程度の隙間２０とするのが好ましい。
【００３３】
また、このように夫々の弾性係止片５、５…の変形を規制することによって、夫々の弾性係止片５、５…が必要以上に変形しないようにして、各弾性係止片５、５…の折損を防止することができる。
【００３４】
さらに、本実施例においては、図２又は図３に示すように、収納ケース１０の内側面上であって保持部６から所定距離だけ離間した周部に保持部６に挿着したディスクＤの外周を支持する環状リム２１が形成された構成とされている。
【００３５】
この環状リム２１は、図７（ａ）〜（ｃ）に示すように、内側に低い段部２２を有する形状とされ、この段部２２に保持部６に挿着したディスクＤの外周を支持することができる。この環状リム２１は、直径１２０mmのＣＤ又はＤＶＤを収納し得る寸法とするのが望ましい。
【００３６】
なお、図６に示すように、上記のコンパクトディスクＤよりも小径のミニディスクＭＤまたはシングルディスクＳＤを収納すると、ディスクＤの外周は環状リム２１の段部２２に到達せず、その外周下面を支持することができないが、上記のディスクＤと同様に、ミニディスクＭＤまたはシングルディスクＳＤの中心孔Ｃを保持部６の外周に挿着することにより、環状リブ２の上端に支持され、夫々の弾性係止片５、５…のツメ７、７…で係止された固定状態を保つことができる。
【００３７】
また、図1乃至図３に示すように、上記の環状リム２１の少なくとも１箇所にディスクＤの外周下部に指先を当てる部位として空所２３を形成することによって、図８（ｂ）に示すように、保持部６に挿着したディスクＤの取り出しを行う際、この空所２３からディスクＤの外周に指を当てて引き上げることにより、ディスクＤの取り出しを容易に行うことができる。なお、図１乃至図３に示す環状リム２１には空所２３が対向位置に２個形成されているが、そのうちの1個でもよい。
【００３８】
上記のように構成されたディスク固定装置１に、ディスクＤを装置するには、図７（ａ）に示すように、ディスクＤの中心孔Ｃを載置する。このとき、ディスクＤの中心孔Ｃは夫々の弾性係止片５、５…のツメ７、７…上に係合された状態になる。
【００３９】
次いで、図７（ｂ）に示すように、このディスクＤの中心孔Ｃの近傍の上面を指で下方に押し込むと、ディスクＤの中心孔Ｃの内周縁が夫々の弾性係止片５、５…を中心方向に変形しながら夫々のツメ７、７…を乗り越して係止状態となる。このとき、図７（ｃ）に示すように、ディスクＤの中心孔Ｃは、環状リブ２の上端に支持されると共に、ツメ７、７…の下方に係止された状態となる。
【００４０】
また、上記のようにディスク固定装置に固定されたディスクＤを取り外すときは、図８（ａ）に示すように、例えば親指で保持部６を支え、人差し指を環状リム２１の空所２３からディスクＤの外周縁に当てて引き上げると、図８(ｂ）に示すように、ディスクＤの中心孔Ｃが弾性係止片５、５…の夫々のツメ７、７…から離脱する。
【００４１】
上記のように構成された複数の弾性係止片５、５…を有する保持部６を含む収納ケース１０の全体形状は、例えばポリプロピレン等の合成樹脂成形加工による一発成型により形成することができ、製造コストの低減に有益である。
【００４２】
なお、上記の構成においては、環状リブ２と複数の弾性係止片５、５…とからなる保持部６は、底板１１の内側中央に設けられているが、この環状リブ２と保持部６を蓋板１２の内側中央に設けることにより、１個の収納ケース１０の内側に２枚のディスクＤを挿着して収納することが可能となる。
【産業上の利用可能性】
【００４３】
本発明は、保持部を押圧するだけではディスクが外れない係止構造とし、しかもディスクの係止状態を確実に保持すると共に、取り出す必要があるときは容易に取り外すことができ、しかも保持部を構成する弾性係止片が折損し難い構造とされるディスク固定装置としての利用が可能である。
【図面の簡単な説明】
【００４４】
【図１】本発明によるディスク固定装置を有する収納ケースの内側斜視図である。
【図２】本発明による収納ケースの底板側内側面の平面図である。
【図３】本発明による保持部にディスクの中心孔を挿着した平面図である。
【図４】本発明によるディスク固定装置の環状リブと保持部を示す斜視図である。
【図５】本発明によるディスク固定装置にディスクを取り付けて保持部を押圧している状況を示す要部断面図である。
【図６】本発明によるディスク固定装置に小径のディスクを挿着した状況を示す要部断面図である。
【図７】（ａ）〜（ｃ）は、本発明によるディスク固定装置にディスクを挿着している状況を示す要部断面図である。
【図８】(ａ）及び（ｂ）は、本発明によるディスク固定装置からディスクを取り外している状況を示す要部断面図である。
【図９】従来の装置のディスク固定装置の内側斜視図である。
【図１０】（ａ）及び（ｂ）は、特許文献1の装置の要部断面図である。
【符号の説明】
【００４５】
Ｄ…ディスク
Ｃ…中心孔
１…ディスク固定装置
２…環状リブ
３…中心穴
４…切込み
５…弾性係止片
６…保持部
７…ツメ
８…弾性支持片
９…折曲部
９ａ…斜辺
１０…収納ケース
１１…底板
１２…蓋板
１３…背板枠
１４…外周枠
１５…挟持片
２０…隙間
２１…環状リム
２２…段部
２３…空所
【図１】
2005271925.tif 000003
【図２】
2005271925.tif 000004
【図３】
2005271925.tif 000005
【図４】
2005271925.tif 000006
【図５】
2005271925.tif 000007
【図６】
2005271925.tif 000008
【図７】
2005271925.tif 000009
【図８】
2005271925.tif 000010
【図９】
2005271925.tif 000011
【図１０】
2005271925.tif 000012